(57)【要約】【課題】下部ブラケットおよび上部ブラケットとして共用できると共に、共用した上で機器を所望の仰俯角で柱に取り付ける際の作業性を向上させることができる機器取付用チルト金具を提供すること。【解決手段】柱に取り付けられる柱側金具１１と、機器に取り付けられる機器側金具１２とを有し、柱側金具１１には、柱に対する機器の仰俯角を調整するため仰俯角調整ボルト８ａが挿入され、その仰俯角の大きさに応じた長さを有すると共に湾曲した仰俯角調整用長孔１１ｂ１を設ける一方、機器側金具１２には、仰俯角調整ボルト８ａが挿入される仰俯角調整ボルト孔が形成されており、柱側金具１１における仰俯角調整用長孔１１ｂ１の柱側となる基端部には、仰俯角調整ボルト８ａが嵌ってその回転角度のままでは仰俯角調整用長孔１１ｂ１に沿った移動を禁止させる仰俯角調整ボルト嵌合部１１ｂ２が形成されている。【選択図】図９
2015172273.tif 000002
【特許請求の範囲】
【請求項１】
電柱や支柱等の柱に所定間隔を空けた複数個所に取り付けられ、スピーカー等の機器を前記柱に対し仰俯角を調整して取付ける機器取付用チルト金具であって、
柱に取り付けられる柱側金具と、
機器に取り付けられる機器側金具とを有し、
前記柱側金具には、
前記柱に対する前記機器の仰俯角を調整するため仰俯角調整ボルトが挿入され、その仰俯角の大きさに応じた長さを有すると共に湾曲した仰俯角調整用長孔を設ける一方、
前記機器側金具には、
前記仰俯角調整ボルトが挿入される仰俯角調整ボルト孔が形成されており、
前記柱側金具における仰俯角調整用長孔の柱側となる基端部には、前記仰俯角調整ボルトが嵌ってその回転角度のままでは仰俯角調整用長孔に沿った移動を禁止させる仰俯角調整ボルト嵌合部が形成されている、
ことを特徴とする機器取付用チルト金具。
【請求項２】
請求項１に記載の機器取付用チルト金具において、
前記仰俯角調整ボルトは、
ボルト頭部と軸部との間に正方形状の角根部を有する角根ボルトであり、
前記仰俯角調整用長孔の上下幅は、
ほぼ前記仰俯角調整ボルトが前記仰俯角調整用長孔の長手方向に移動できるように角根部の一辺の長さとほぼ同じが僅かだけ長く、
前記仰俯角調整ボルト嵌合部は、
前記仰俯角調整用長孔を通る前記仰俯角調整ボルトの角根部を９０度または１８０度、２７０度および３６０度以外の回転角度で回転させた場合に前記仰俯角調整ボルトの角根部が嵌ってその回転角度のままでは仰俯角調整用長孔に沿った移動を禁止できるように前記仰俯角調整ボルトの角根部の断面形状である正方形状を回転させた形状に形成されている、
ことを特徴とする機器取付用チルト金具。
【請求項３】
請求項１または請求項２に記載の機器取付用チルト金具において、
前記機器側金具は、
前記機器に取り付けられる機器側第１金具と、
前記仰俯角調整ボルト孔が形成された機器側第２金具とから構成され、
前記機器側第１金具には、
方位角回転中心ボルトが挿入される方位角回転中心ボルト孔と、
その方位角回転中心ボルト孔に挿入された前記方位角回転中心ボルトを回転中心として所定方向に対し前記機器がなす方位角を設定するための方位角調整用長孔が形成されている、
ことを特徴とする機器取付用チルト金具。
【発明の詳細な説明】
【技術分野】
【０００１】
本発明は、スピーカー等の機器を電柱や支柱等の柱に対し仰俯角を調整して取付けるための機器取付用チルト金具に関する。
【背景技術】
【０００２】
例えば、電柱や支柱等の柱に対しアンテナの仰角を調整して取付けるための機器取付用チルト金具として、柱の上部と下部に所定の間隔をあけて下部ブラケット及び上部ブラケットを取付け、下部ブラケットには回動支持機構を設けて、アンテナの下部側を回動可能に支持する一方、上部ブラケットには仰俯角調整機構を設けて、アンテナの仰俯角を調整するようにしたものが提案されている（例えば、特許文献１参照。）。
【先行技術文献】
【特許文献】
【０００３】
【特許文献１】特開２００２−２２３１０６号公報
【発明の概要】
【発明が解決しようとする課題】
【０００４】
しかし、上述の特許文献１に記載の機器取付用チルト金具では、下部ブラケットと上部ブラケットの構造が異なるため、下部ブラケットと上部ブラケットとを用意しなければならず、部品点数が増大するという問題があった。
【０００５】
また、仮に同じ機器取付用チルト金具を下部ブラケットと上部ブラケットとで共用できたとしても、作業性が劣っていては問題である。
【０００６】
そこで、本発明はこのような問題点に着目してなされたもので、下部ブラケットおよび上部ブラケットとして共用できると共に、共用した上で機器を所望の仰俯角で柱に取り付ける際の作業性を向上させることができる機器取付用チルト金具を提供することを目的とする。
【課題を解決するための手段】
【０００７】
上記課題を解決するため、本発明に係る機器取付用チルト金具は、
電柱や支柱等の柱に所定間隔を空けた複数個所に取り付けられ、スピーカー等の機器を前記柱に対し仰俯角を調整して取付ける機器取付用チルト金具であって、
柱に取り付けられる柱側金具と、
機器に取り付けられる機器側金具とを有し、
前記柱側金具には、
前記柱に対する前記機器の仰俯角を調整するため仰俯角調整ボルトが挿入され、その仰俯角の大きさに応じた長さを有すると共に湾曲した仰俯角調整用長孔を設ける一方、
前記機器側金具には、
前記仰俯角調整ボルトが挿入される仰俯角調整ボルト孔が形成されており、
前記柱側金具における仰俯角調整用長孔の柱側となる基端部には、前記仰俯角調整ボルトが嵌ってその回転角度のままでは仰俯角調整用長孔に沿った移動を禁止させる仰俯角調整ボルト嵌合部が形成されている、
ことを特徴とする機器取付用チルト金具である。
ここで、
前記仰俯角調整ボルトは、
ボルト頭部と軸部との間に正方形状の角根部を有する角根ボルトであり、
前記仰俯角調整用長孔の上下幅は、
ほぼ前記仰俯角調整ボルトが前記仰俯角調整用長孔の長手方向に移動できるように角根部の一辺の長さとほぼ同じが僅かだけ長く、
前記仰俯角調整ボルト嵌合部は、
前記仰俯角調整用長孔を通る前記仰俯角調整ボルトの角根部を９０度または１８０度、２７０度および３６０度以外の回転角度で回転させた場合に前記仰俯角調整ボルトの角根部が嵌ってその回転角度のままでは仰俯角調整用長孔に沿った移動を禁止できるように前記仰俯角調整ボルトの角根部の断面形状である正方形状を回転させた形状に形成されている、
と良い。
また、
前記機器側金具は、
前記機器に取り付けられる機器側第１金具と、
前記仰俯角調整ボルト孔が形成された機器側第２金具とから構成され、
前記機器側第１金具には、
方位角回転中心ボルトが挿入される方位角回転中心ボルト孔と、
その方位角回転中心ボルト孔に挿入された前記方位角回転中心ボルトを回転中心として所定方向に対し前記機器がなす方位角を設定するための方位角調整用長孔が形成されている、
とさらに良い。
【発明の効果】
【０００８】
本発明に係る機器取付用チルト金具では、柱に取り付けられる柱側金具と、機器に取り付けられる機器側金具とを有し、柱側金具には仰俯角調整用長孔が設けられている一方、機器側金具には前記仰俯角調整ボルトが挿入される仰俯角調整ボルト孔が形成されており、その仰俯角調整用長孔の柱側となる基端部には、仰俯角調整ボルトの角根部が嵌ってその回転角度のままでは仰俯角調整用長孔に沿った移動を禁止させる仰俯角調整ボルト嵌合部が形成されているため、柱側金具と機器側金具からなるこの機器取付用チルト金具を上部ブラケットと下部ブラケットとして共用できると共に、共用した上で機器を所望の仰俯角で柱に取り付ける際の作業性を向上させることができる機器を所望の仰俯角で柱に取り付けることができる。
【図面の簡単な説明】
【０００９】
【図１】本発明に係る実施形態１の機器取付用チルト金具を２組用意しそれぞれ上部ブラケットおよび下部ブラケットとして使用してスピーカーを支柱に仰俯角を設定せずに取り付けた状態を示す正面図である。
【図２】本発明に係る実施形態１の機器取付用チルト金具を２組用意しそれぞれ上部ブラケットおよび下部ブラケットとして使用してスピーカーを支柱に仰俯角を設定せずに取り付けた状態を示す平面図である。
【図３】本発明に係る実施形態１の機器取付用チルト金具を２組用意しそれぞれ上部ブラケットおよび下部ブラケットとして使用してスピーカーを支柱に最大俯角を設定して取り付けた状態を示す正面図である。
【図４】（ａ）〜（ｃ）それぞれ、本発明に係る実施形態１の機器取付用チルト金具における柱側金具の正面図、右側面図、底面図である。
【図５】（ａ）〜（ｃ）それぞれ、本発明に係る実施形態１の機器取付用チルト金具における機器側金具の正面図、平面図、右側面図である。
【図６】本発明に係る実施形態１の機器取付用チルト金具における柱側金具と機器側金具とを俯角０度で連結した状態を示す斜視図である。
【図７】（ａ），（ｂ）それぞれ、本発明に係る実施形態１の機器取付用チルト金具における柱側金具と機器側金具とを俯角０度で連結した状態を示す平面図、正面図である。
【図８】本発明に係る実施形態１の機器取付用チルト金具における柱側金具と機器側金具とを俯角０度で連結した状態を示す右側面図である。
【図９】本発明に係る実施形態１の機器取付用チルト金具における柱側金具と機器側金具とを俯角最大で連結した状態を示す正面図である。
【図１０】本発明に係る実施形態２の機器取付用チルト金具を２組用意しそれぞれ上部ブラケットおよび下部ブラケットとして使用してスピーカーを支柱に仰俯角を設定せずに取り付けた状態を示す正面図である。
【図１１】本発明に係る実施形態２の機器取付用チルト金具を２組用意しそれぞれ上部ブラケットおよび下部ブラケットとして使用してスピーカーを支柱に仰俯角を設定せずに取り付けた状態を示す平面図である。
【図１２】本発明に係る実施形態２の機器取付用チルト金具を２組用意しそれぞれ上部ブラケットおよび下部ブラケットとして使用してスピーカーを支柱に最大俯角を設定して取り付けた状態を示す正面図である。
【図１３】（ａ）〜（ｃ）それぞれ、本発明に係る実施形態２の機器取付用チルト金具における柱側金具の正面図、右側面図、底面図である。
【図１４】（ａ）〜（ｃ）それぞれ、本発明に係る実施形態２の機器取付用チルト金具における機器側第１金具の平面図、正面図、右側面図である。
【図１５】本発明に係る実施形態２の機器取付用チルト金具における柱側金具と機器側金具とを俯角０度で連結した状態を示す右側面図である。
【図１６】（ａ），（ｂ）それぞれ、本発明に係る実施形態２の機器取付用チルト金具における柱側金具と機器側金具とを俯角０度で連結した状態を示す平面図、正面図である。
【図１７】本発明に係る実施形態２の機器取付用チルト金具における柱側金具と機器側金具とを俯角最大で連結した状態を示す正面図である。
【図１８】（ａ），（ｂ）それぞれ、本発明に係る実施形態２の機器取付用チルト金具によりスピーカーを柱を中心に時計回りと反時計周り回転させた状態を示す平面図である。
【図１９】本発明に係る実施形態２の機器取付用チルト金具における柱側金具と機器側金具とを俯角最大で連結した状態を示す正面図である。
【発明を実施するための形態】
【００１０】
実施形態１．
以下、本発明に係る実施形態１の機器取付用チルト金具１について説明する。なお、実施形態１では、本発明に係る同一の機器取付用チルト金具１を２組利用し、上方の上部ブラケットおよび下方の下部ブラケットとして共用する場合について説明するが、本発明では、これに限らず、本発明に係る機器取付用チルト金具を、上部ブラケットまたは下部ブラケットのいずれか一方として使用し、それぞれ対応する下部ブラケットまたは上部ブラケットとして、本発明に係る機器取付用チルト金具ではなく、別の金具を使用してもよい。また、以下に説明する実施形態１，２の例では、柱２に対し取り付けるべき機器としてスピーカー３を一例に説明する。
【００１１】
図１〜図３は、それぞれ、実施形態１の機器取付用チルト金具１を２組用意しそれぞれ上部ブラケットおよび下部ブラケットとして共用してスピーカー３を支柱２に仰俯角を設定せずに取り付けた状態を示す正面図、平面図、最大俯角を設定して取り付けた状態を示す正面図である。
【００１２】
図１〜図３に示すように、実施形態１の機器取付用チルト金具１は２組用意し、電柱や支柱等の柱２に所定間隔を空けた複数個所（ここでは、例えば、上下２箇所の位置とするが、３箇所以上でも勿論良い。）にそれぞれ上部ブラケットおよび下部ブラケットとして取り付けて、スピーカー３等の機器を柱２に対し俯角を調整して取付けるもので、柱２に取り付けられる柱側金具１１と、スピーカー３等の機器に取り付けられる機器側金具１２とを有する。
【００１３】
なお、柱側金具１１は、図１〜図３に示すように、柱２に対し公知の締結バンド４と締結ボルト５ａと締付ナット５ｂにより電柱や支柱等の柱２に固定される一方、機器側金具１２は、締結ボルト６ａと締付ナット６ｂ等によりスピーカー３等の機器に取り付けられる。
【００１４】
図４（ａ）〜（ｃ）は、それぞれ、実施形態１の機器取付用チルト金具１における柱側金具１１の正面図、右側面図、底面図である。
【００１５】
柱側金具１１は、図４（ａ）〜（ｃ）に示すように、締結バンド４に固定される背板部１１ａと、その背板部１１ａの両側から起立した横側面部１１ｂ，１１ｂとを有している。
【００１６】
柱側金具１１の背板部１１ａには、締結バンド４に締結ボルト７ａおよび締付ナット７ｂ等により取り付けるためのボルト孔１１ａ１が２箇所設けられている。
【００１７】
また、柱側金具１１の横側面部１１ｂ，１１ｂには、それぞれ、スピーカー３を柱２に対し仰俯角を調整するため仰俯角調整ボルト８ａが挿入され，その仰俯角の大きさに応じた長さを有すると共に湾曲した仰俯角調整用長孔１１ｂ１，１１ｂ１が設けられている。
【００１８】
ここで、仰俯角調整ボルト８ａとしては、後述する図７（ａ）等に示すようにボルト頭部８ａ１と軸部８ａ３との間に正方形状の角根部８ａ２を有する周知の角根ボルトを使用する。角根部８ａ２の一辺の長さは、軸部８ａ３の直径とほぼ等しいか、僅かに大きい。
【００１９】
そのため、仰俯角調整用長孔１１ｂ１，１１ｂ１の上下幅は、ほぼ仰俯角調整ボルト８ａがその仰俯角調整用長孔１１ｂ１，１１ｂ１の長手方向に移動できるように仰俯角調整ボルト８ａの角根部８ａ２の一辺の長さとほぼ同じか僅かだけ大きく構成する。これにより、仰俯角調整ボルト８ａの角根部８ａ２が挿入される仰俯角調整用長孔１１ｂ１とは対向する仰俯角調整用長孔１１ｂ１では、仰俯角調整ボルト８ａの軸部８ａ３が挿入されて締付ナット８ｂにより締付けられた際にガタ付くことを防止できる。
【００２０】
そして、この仰俯角調整用長孔１１ｂ１，１１ｂ１の柱２側となる基端部には、図４（ａ）等に示すように仰俯角調整ボルト８ａの角根部８ａ２が嵌ってその回転角度のままでは仰俯角調整用長孔１１ｂ１，１１ｂ１に沿った移動を禁止させる仰俯角調整ボルト嵌合部１１ｂ２，１１ｂ２を設けている。
【００２１】
ここで、仰俯角調整ボルト嵌合部１１ｂ２，１１ｂ２の形状は、仰俯角調整用長孔１１ｂ１，１１ｂ１を通る仰俯角調整ボルト８ａの角根部８ａ２を、９０度または１８０度、２７０度および３６０度以外の回転角度である例えば４５度回転させた場合に仰俯角調整ボルト８ａの角根部８ａ２が嵌ってその回転角度のままでは仰俯角調整用長孔１１ｂ１，１１ｂ１に沿った移動を禁止できるように仰俯角調整ボルト８ａの角根部８ａ２の断面形状である正方形状をほぼ４５度回転させた形状に形成している。
【００２２】
図５（ａ）〜（ｃ）は、それぞれ、実施形態１の機器取付用チルト金具における機器側金具の正面図、平面図、右側面図である。
【００２３】
機器側金具１２は、図５（ａ）〜（ｃ）に示すように、柱２に取り付けられる金具で、上側面部１２１ａと、その上側面部１２１ａの両側から下方にほぼ９０度折り曲げられた横側面部１２ｂ，１２ｂと、その上側面部１２１ａの後端部から上方にほぼ９０度折り曲げた背板部１２ｃとを有している。
【００２４】
機器側金具１２の横側面部１２ｂ，１２ｂには、それぞれ、仰俯角調整ボルト８ａが挿入される仰俯角調整ボルト孔１２ｂ１，１２ｂ１が形成されている。
【００２５】
また、背板部１２ｃには、締結ボルト６ａと締付ナット６ｂ等によりスピーカー３等の機器に取り付けるためのボルト孔１２ｃ１，１２ｃ１が設けられている。
【００２６】
次に、以上のように構成された実施形態１の機器取付用チルト金具１における柱側金具１１と機器側金具１２との連結について説明する。
【００２７】
図６は、実施形態１の機器取付用チルト金具１における柱側金具１１と機器側金具１２とを俯角０度で連結した状態を示す斜視図、図７（ａ），（ｂ）は、それぞれ、その連結状態を示す平面図、正面図、図８は、その連結状態を示す右側面図である。
【００２８】
また、図９は、実施形態１の機器取付用チルト金具１における柱側金具１１と機器側金具１２とを俯角最大で連結した状態を示す正面図である。
【００２９】
図６や図７（ａ），（ｂ）、図８に示すように実施形態１の機器取付用チルト金具１を構成する柱側金具１１と機器側金具１２とを俯角０度で連結すると、仰俯角調整ボルト８ａが柱側金具１１の横側面部１１ｂ，１１ｂにおける仰俯角調整ボルト嵌合部１１ｂ２，１１ｂ２に挿入され、仰俯角調整ボルト８ａの角根部８ａ２が仰俯角調整ボルト嵌合部１１ｂ２，１１ｂ２に嵌合する。
【００３０】
そのため、図６や図７（ａ），（ｂ）、図８に示すように仰俯角調整ボルト８ａの角根部８ａ２を仰俯角調整ボルト嵌合部１１ｂ２，１１ｂ２のいずれか一方から引き出さない限り、その嵌合状態を解除できないので、仰俯角調整ボルト８ａが仰俯角調整用長孔１１ｂ１，１１ｂ１に沿って移動できなくなる。
【００３１】
その一方、仰俯角調整ボルト嵌合部１１ｂ２，１１ｂ２のいずれか一方に角根部８ａ２が嵌合している仰俯角調整ボルト８ａを引き出して、仰俯角調整ボルト８ａを４５度回転させると、仰俯角調整ボルト８ａは仰俯角調整用長孔１１ｂ１，１１ｂ１にその角根部８ａ２と軸部８ａ３とを挿入した状態で仰俯角調整用長孔１１ｂ１，１１ｂ１内をその長手方向に移動可能になる。そして最大限、図９に示すように仰俯角調整ボルト嵌合部１１ｂ２，１１ｂ２とは反対側の仰俯角調整用長孔１１ｂ１，１１ｂ１の端部まで移動させることができる。
【００３２】
従って、実施形態１の機器取付用チルト金具１によれば、柱２に取り付けられる柱側金具１１と、スピーカー３等の機器に取り付けられる機器側金具１２とを有し、柱側金具１１には仰俯角調整用長孔１１ｂ１，１１ｂ１が設けられている一方、機器側金具１２には仰俯角調整ボルト８ａが挿入される仰俯角調整ボルト孔１２ｂ１，１２ｂ１が形成されており、その仰俯角調整用長孔１１ｂ１，１１ｂ１の柱２側となる基端部には、仰俯角調整ボルト８ａの角根部８ａ２が嵌ってその回転角度のままでは仰俯角調整用長孔１１ｂ１，１１ｂ１に沿った移動を禁止させる仰俯角調整ボルト嵌合部１１ｂ２，１１ｂ２を形成したため、柱側金具１１と機器側金具１２からなる実施形態１の機器取付用チルト金具１を上部ブラケットと下部ブラケットとして共用できると共に、スピーカー３等の機器を所望の俯角で柱２に取り付ける際の作業性を向上させることができる。
【００３３】
特に、この実施形態１の機器取付用チルト金具１では、仰俯角調整ボルト８ａは、ボルト頭部８ａ１と軸部８ａ３との間に正方形状の角根部８ａ２を有する角根ボルトであり、仰俯角調整用長孔１１ｂ１，１１ｂ１の上下幅は、ほぼ仰俯角調整ボルト８ａが仰俯角調整用長孔１１ｂ１，１１ｂ１の長手方向に移動できるように角根部８ａ２の一辺の長さとほぼ同じが僅かだけ長く、仰俯角調整ボルト嵌合部１１ｂ２，１１ｂ２は、仰俯角調整用長孔１１ｂ１，１１ｂ１を通る仰俯角調整ボルト８ａの角根部８ａ２を９０度または１８０度、２７０度および３６０度以外の回転角度で回転させた場合に仰俯角調整ボルト８ａの角根部８ａ２が嵌ってその回転角度のままでは仰俯角調整用長孔１１ｂ１，１１ｂ１に沿った移動を禁止できるように角根部８ａ２の平面形状である正方形状をほぼ４５度回転させた形状に構成したため、確実に仰俯角調整ボルト８ａを仰俯角調整ボルト嵌合部１１ｂ２，１１ｂ２に位置させることが可能となり、作業性を向上させることができる。
【００３４】
なお、上記実施形態１の機器取付用チルト金具１では、スピーカー２の仰俯角を水平方向に対し下方の俯角のみ設定するように説明したが、本発明では、これに限らず、水平方向に対し上方の仰角のみ、あるいは仰角および俯角の双方を設定できるように構成しても勿論良い。なお、このことは後述する実施形態２の機器取付用チルト金具１でも同様である。
【００３５】
また、上記実施形態１の機器取付用チルト金具１では、仰俯角調整用長孔１１ｂ１，１１ｂ１の基端部に設ける仰俯角調整ボルト嵌合部１１ｂ２，１１ｂ２の形状は、仰俯角調整用長孔１１ｂ１，１１ｂ１に対し仰俯角調整ボルト８の角根部８ａ２をほぼ４５度回転させた形状に構成して説明したが、本発明では、これに限らず、仰俯角調整ボルト８の角根部８ａ２を４５度以外の例えば、３０度や６０度回転させた形状に形成しても勿論良いし、仰俯角調整用長孔１１ｂ１，１１ｂ１の基端部で仰俯角調整用長孔１１ｂ１，１１ｂ１に対し上方向または下方向に曲げて仰俯角調整ボルト嵌合部１１ｂ２，１１ｂ２を設けるようにしても勿論良い。
【００３６】
実施形態２．
次に、実施形態２の機器取付用チルト金具１について説明する。実施形態２の機器取付用チルト金具１は、実施形態１の器取付用チルト金具１とは異なり、柱２に対しスピーカー３等の機器の方位角も変えられるもので、柱側金具１１の構成が上述の実施形態１と同様であるものの、機器に取り付けられる機器側金具の構成が異なるので、柱側金具１１の構成については省略し、実施形態２の機器側金具１２’の構成を中心に説明する。
【００３７】
図１０および図１１は、それぞれ、実施形態２の機器取付用チルト金具１を２組用意しそれぞれ上部ブラケットおよび下部ブラケットとして使用してスピーカー３を柱２に仰俯角を設定せずに取り付けた状態を示す正面図、平面図である。また、図１２は、最大俯角を設定して取り付けた状態を示す正面図である。
【００３８】
図１３（ａ）〜（ｃ）は、それぞれ、実施形態２の機器取付用チルト金具１における機器側第１金具１２１の柱側金具の正面図、右側面図、底面図である。また、図１４（ａ）〜（ｃ）は、それぞれ、実施形態２の機器取付用チルト金具１における機器側第２金具１２２の平面図、正面図、右側面図である。
【００３９】
実施形態２の機器側金具１２’は、図１０〜図１２に示すように、実施形態１の機器側金具１２とは異なり、２つの金具、すなわち機器側第１金具１２１と、機器側第２金具１２２とから構成される。
【００４０】
機器側第１金具１２１は、スピーカー３等の機器に取り付けられるもので、図１３（ａ）〜（ｃ）に示すように、上側面部１２１ａと、その上側面部１２１ａの後端部から上方にほぼ９０度折り曲げられた背板部１２１ｂとを有している。
【００４１】
上側面部１２１ａには、図１３（ａ）に示すように、機器側第２金具１２２と連結すると共に、柱２に対しスピーカー３等の機器の方位角を設定する際の回転中心となる方位角回転中心ボルト９ａ（図１５参照）が挿入される方位角回転中心ボルト孔１２１ａ１と、方位角調整ボルト１０ａ（図１５参照）が挿入されて、方位角回転中心ボルト９ａを中心に柱２に対しスピーカー３等の機器の方位角を設定するための方位角調整用長孔１２１ａ２が形成されている。なお、方位角回転中心ボルト９ａとして、角根ボルトを使用するため、方位角回転中心ボルト孔１２１ａ１は方位角回転中心ボルト９ａの角根部が嵌合するように正方形状に形成されている。
【００４２】
背板部１２１ｂには、締結ボルト６ａと締付ナット６ｂ等によりスピーカー３等の機器に取り付けるためのボルト孔１２１ｂ１，１２１ｂ１が設けられている。
【００４３】
機器側第２金具１２２は、図１４（ａ）〜（ｃ）に示すように角型鋼管から構成され、上側面部１２２ａと、横側面部１２２ｂ，１２２ｂと、底側面部１２２ｃとを有する。
【００４４】
上側面部１２２ａと底側面部１２２ｃとには、それぞれ、方位角回転中心ボルト９ａ（図１５参照）が挿入されるボルト孔１２２ａ１，１２２ｃ１と、方位角調整ボルト１０ａ（図１５参照）が挿入されるボルト孔１２２ａ２，１２２ｃ２とが設けられている。
【００４５】
横側面部１２２ｂ，１２２ｂには、それぞれ、柱側金具１１の横側面板部１１ｂ，１１ｂにおける仰俯角調整用長孔１１ｂ１，１１ｂ１に通された仰俯角調整ボルト８ａが挿入されるボルト孔１２２ｂ１，１２２ｂ１が設けられている。
【００４６】
次に、以上のように構成された実施形態２の機器取付用チルト金具１における柱側金具１１と機器側金具１２’との連結について説明する。
【００４７】
図１５は、実施形態２の機器取付用チルト金具１における柱側金具１１と機器側金具１２’とを俯角０度で連結した状態を示す右側面図、図１６（ａ），（ｂ）は、それぞれ、その状態を示す平面図、正面図である。
【００４８】
また、図１７は、実施形態２の機器取付用チルト金具１における柱側金具１１と機器側金具１２’とを俯角最大で連結した状態を示す正面図、図１８（ａ），（ｂ）は、それぞれ、実施形態２の機器取付用チルト金具１によりスピーカー３を柱２を中心に時計回りと反時計周り回転させた状態を示す平面図である。
【００４９】
図１５や図１６（ａ），（ｂ）、図１７に示すように、実施形態２の機器取付用チルト金具１を構成する柱側金具１１と機器側金具１２’とを俯角０度で連結すると、仰俯角調整ボルト８ａが柱側金具１１の横側面板部１１ｂ，１１ｂの仰俯角調整ボルト嵌合部１１ｂ２，１１ｂ２に挿入され、仰俯角調整ボルト８ａの角根部８ａ２が仰俯角調整ボルト嵌合部１１ｂ２，１１ｂ２に嵌合する。
【００５０】
そのため、図１５や図１６（ａ），（ｂ）、図１７に示すように仰俯角調整ボルト８ａの角根部８ａ２を仰俯角調整ボルト嵌合部１１ｂ２，１１ｂ２のいずれか一方から引き出さない限り、その嵌合状態を解除できないので、仰俯角調整ボルト８ａが仰俯角調整用長孔１１ｂ１，１１ｂ１に沿って移動できなくなる。
【００５１】
その一方、仰俯角調整ボルト嵌合部１１ｂ２，１１ｂ２のいずれか一方に角根部８ａ２が嵌合している仰俯角調整ボルト８ａを引き出して、仰俯角調整ボルト８ａを４５度回転させると、仰俯角調整ボルト８ａは仰俯角調整用長孔１１ｂ１，１１ｂ１にその角根部８ａ２と軸部８ａ３とを挿入した状態で仰俯角調整用長孔１１ｂ１，１１ｂ１内をその長手方向に移動可能になる。そして最大限、図９に示すように仰俯角調整ボルト嵌合部１１ｂ２，１１ｂ２とは反対側の仰俯角調整用長孔１１ｂ１，１１ｂ１の端部まで移動させることができる。
【００５２】
また、図１９（ａ），（ｂ）に示すように実施形態２の機器取付用チルト金具１では、実施形態１の器取付用チルト金具１とは異なり、機器側金具１２’が機器側第１金具１２１と機器側第２金具１２２という２つの金具から構成されるため、柱側金具１１に対し方位角回転中心ボルト９ａと方位角調整ボルト１０ａとにより固定された機器側第２金具１２２に対し、方位角回転中心ボルト９ａを中心に方位角調整用長孔１２１ａ２における方位角調整ボルト１０ａの位置を変更することにより、柱２に対しスピーカー３等の機器の方位角も設定することができる。
【００５３】
従って、実施形態２の機器取付用チルト金具１によれば、実施形態１の機器取付用チルト金具１と同様に、柱側金具１１と機器側金具１２’からなるこの機器取付用チルト金具１を上部ブラケットと下部ブラケットとして共用でき、その上でスピーカー３等の機器を所望の俯角で柱２に取り付けることができると共に、作業性を向上させることができる。
【００５４】
特に、実施形態２の機器取付用チルト金具１では、実施形態１の器取付用チルト金具１とは異なり、機器側金具１２’が機器側第１金具１２１と機器側第２金具１２２という２つの金具から構成し、機器側第１金具１２１の上側面部１２１ａには方位角回転中心ボルト９ａを中心に柱２に対しスピーカー３等の機器の方位角を設定するための方位角調整用長孔１２１ａ２を設けたため、柱２に対しスピーカー３等の機器の俯角だけでなく、方位角も設定することができる。
【符号の説明】
【００５５】
１  機器取付用チルト金具
１１  柱側金具
１１ａ  背板部
１１ｂ，１１ｂ  横側面部
１１ｂ１，１１ｂ１  仰俯角調整用長孔
１１ｂ２，１１ｂ２  仰俯角調整ボルト嵌合部
１２，１２’  機器側金具
１２ａ１，１２ａｂ１  連結ボルト孔
１２ｂ１，１２ｂ１  仰俯角調整ボルト孔
１２１  機器側第１金具
１２１ａ  上側面部
１２１ａ１  方位角回転中心ボルト孔
１２１ａ２  方位角調整用長孔
１２１ｂ  背板部
１２２  機器側第２金具
１２２ａ  上側面部
１２２ｂ，１２２ｂ  横側面部
１２２ｃ  底側面部
２  柱
３  スピーカー（機器）
４  締結バンド
５ａ  締結ボルト
５ｂ  締付ナット
６ａ  締結ボルト
６ｂ  締付ナット
７ａ  締結ボルト
７ｂ  締付ナット
８ａ  仰俯角調整ボルト
８ａ１  頭部
８ａ２  角根部
８ａ３  軸部
９ａ  方位角回転中心ボルト
１０ａ  方位角調整ボルト
【図１】
2015172273.tif 000003
【図２】
2015172273.tif 000004
【図３】
2015172273.tif 000005
【図４】
2015172273.tif 000006
【図５】
2015172273.tif 000007
【図６】
2015172273.tif 000008
【図７】
2015172273.tif 000009
【図８】
2015172273.tif 000010
【図９】
2015172273.tif 000011
【図１０】
2015172273.tif 000012
【図１１】
2015172273.tif 000013
【図１２】
2015172273.tif 000014
【図１３】
2015172273.tif 000015
【図１４】
2015172273.tif 000016
【図１５】
2015172273.tif 000017
【図１６】
2015172273.tif 000018
【図１７】
2015172273.tif 000019
【図１８】
2015172273.tif 000020
【図１９】
2015172273.tif 000021